(57)【要約】【課題】美麗なたばこの広告コンテンツを高画質に表示出力することができるディスプレイ装置を提供する。【解決手段】たばこ什器１００は、たばこ商品ＳＴＰが上下前後左右に陳列される本体フレーム１１０と、この本体フレーム１１０の前面に一体に形成されているディスプレイデバイス１２０と、を有し、このディスプレイデバイス１２０が有機エレクトロルミネッセンスからなる。【選択図】図１
2012208139.tif 000002
【特許請求の範囲】
【請求項１】
広告コンテンツを表示するディスプレイ装置であって、
有機エレクトロルミネッセンスのディスプレイデバイスからなり、
たばこの広告コンテンツを表示出力するディスプレイ装置。
【請求項２】
コンビニエンスストアなどの店舗の内部に設置される構造の請求項１に記載のディスプレイ装置。
【請求項３】
たばこ商品が陳列されるたばこ什器と一体に形成されている請求項２に記載のディスプレイ装置。
【請求項４】
前記たばこ什器の前面に配置されている請求項３に記載のディスプレイ装置。
【請求項５】
前記たばこ什器の側面に配置されている請求項３または４に記載のディスプレイ装置。
【請求項６】
前記たばこ什器の上部に突設されている請求項３ないし５の何れか一項に記載のディスプレイ装置。
【請求項７】
前記たばこ什器の側部に突設されている請求項３ないし６の何れか一項に記載のディスプレイ装置。
【請求項８】
街頭などに設置される構造の請求項１に記載のディスプレイ装置。
【請求項９】
自動販売機と一体に形成されている請求項８に記載のディスプレイ装置。
【請求項１０】
前記自動販売機の前面に配置されている請求項９に記載のディスプレイ装置。
【請求項１１】
前記自動販売機の側面に配置されている請求項９または１０に記載のディスプレイ装置。
【請求項１２】
前記自動販売機の上部に突設されている請求項９ないし１１の何れか一項に記載のディスプレイ装置。
【請求項１３】
前記自動販売機の側部に突設されている請求項９ないし１２の何れか一項に記載のディスプレイ装置。
【請求項１４】
動画の前記広告コンテンツを制御する動画制御装置と、
前記動画制御装置と前記広告コンテンツを通信するコンテンツ通信部とを、
さらに有する請求項１ないし１３の何れか一項に記載のディスプレイ装置。
【請求項１５】
所定のＩＤデータを読み取るＩＤ読取装置と、
前記ＩＤ読取装置で読み取られた前記ＩＤデータを通信するＩＤ通信部とを、
さらに有する請求項１ないし１４の何れか一項に記載のディスプレイ装置。
【請求項１６】
請求項３ないし７，１４，１５の何れか一項に記載のディスプレイ装置と、
前記ディスプレイ装置が一体に形成されている本体フレームと、
を有するたばこ什器。
【請求項１７】
請求項９ないし１５の何れか一項に記載のディスプレイ装置と、
前記ディスプレイ装置が一体に形成されている販売機本体と、
を有する自動販売機。
【発明の詳細な説明】
【技術分野】
【０００１】
本発明は、コンビニエンスストアなどの店舗の内部や街頭などでたばこを宣伝するディスプレイ装置、このディスプレイ装置を利用したたばこ什器および自動販売機、に関する。
【背景技術】
【０００２】
現在、コンビニエンスストアなどの店舗の内部などでたばこを宣伝するため、たばこ什器にポップを掲出する、看板などを利用するといった方法がとられ、そこには広告コンテンツが掲載されている。また、街頭などでたばこを宣伝するため、自動販売機などに広告コンテンツなどが表記等されている。
【０００３】
例えば、宣伝広告面に表示される宣伝内容の目立ち度、顧客を刺激する力などのみに依存せずに、宣伝広告効果を高めて顧客を誘引することができるポップスタンドの提案がある。
【０００４】
その技術では、複数の広告表示面を有した立体形状の立設可能なスタンド本体と、該スタンド本体の外面適所に対して分離自在に連設された複数の割引券から成る割引券領域と、を備えている（特許文献１）。
【先行技術文献】
【特許文献】
【０００５】
【特許文献１】特開２００７−０３３８０１号公報
【発明の概要】
【発明が解決しようとする課題】
【０００６】
上述のようにコンビニエンスストアなどの店舗の内部などでは、たばこ什器のポップや立て看板などの広告コンテンツで、たばこが宣伝されており、街頭などでは、自動販売機に表記された広告コンテンツなどで、たばこが宣伝されている。
【０００７】
しかし、このような広告コンテンツは自発光しない静止画でしかなく、その訴求効果は小さい。例えば、現在ディスプレイデバイスの主流である液晶ディスプレイなどを利用して、自発光する動画の広告コンテンツを表示することも想定できる。しかし、液晶ディスプレイは、画質が良好ではなく、高速な動画を表示することも困難であり、美麗な広告コンテンツを高速に表示することができない。
【０００８】
本発明は上述のような課題に鑑みてなされたものであり、美麗な広告コンテンツを高画質に表示することができるディスプレイ装置を提供するものである。
【課題を解決するための手段】
【０００９】
本発明のディスプレイ装置は、広告コンテンツを表示するディスプレイ装置であって、有機エレクトロルミネッセンスのディスプレイデバイスからなり、たばこの広告コンテンツを表示出力する。従って、本発明のディスプレイ装置では、有機エレクトロルミネッセンスのディスプレイデバイスでたばこの広告コンテンツを表示出力する。
【００１０】
本発明のたばこ什器は、本発明のディスプレイ装置と、ディスプレイ装置が一体に形成されている本体フレームと、を有する。
【００１１】
本発明の自動販売機は、本発明のディスプレイ装置と、ディスプレイ装置が一体に形成されている販売機本体と、を有する。
【発明の効果】
【００１２】
本発明のディスプレイ装置では、有機エレクトロルミネッセンスのディスプレイデバイスでたばこの広告コンテンツを表示出力する。このため、美麗なたばこの広告コンテンツを高画質に表示出力することができ、例えば、たばこの広告コンテンツとして高速な動画なども表示出力することができる。
【図面の簡単な説明】
【００１３】
【図１】本発明の実施の第一の形態のたばこ什器の外観を示す模式的な斜視図である。
【図２】第二の形態のたばこ什器の外観を示す模式的な斜視図である。
【図３】第三の形態のたばこ什器の外観を示す模式的な斜視図である。
【図４】第四の形態の自動販売機の外観を示す模式的な斜視図である。
【図５】第五の形態の自動販売機の外観を示す模式的な斜視図である。
【図６】第六の形態の自動販売機の外観を示す模式的な斜視図である。
【発明を実施するための形態】
【００１４】
本発明の実施の第一の形態を図１を参照して以下に説明する。本実施の形態のたばこ什器１００は、たばこ商品ＳＴＰが上下前後左右に陳列される本体フレーム１１０と、この本体フレーム１１０の前面に一体に形成されているディスプレイデバイス１２０と、を有し、このディスプレイデバイス１２０が有機エレクトロルミネッセンスからなる。
【００１５】
より具体的には、本実施の形態のたばこ什器１００は、たばこ商品ＳＴＰを種類別に上下左右に陳列し、種類ごとに前後に充填して収容する構造となっている。つまり、上下方向には階層構造になっており、たばこ商品ＳＴＰが載置される部分の前面に横長のディスプレイデバイス１２０が設置されている。
【００１６】
なお、本実施の形態のたばこ什器１００では、上部にもディスプレイデバイス１２０が突設されている。この上部のディスプレイデバイス１２０は、有機エレクトロルミネッセンスの特性を生かして円弧状に湾曲することができる。
【００１７】
上述のような構成において、本実施の形態のたばこ什器１００は、バックヤードの店内サーバ等(図示せず)とデータ通信し、たばこの広告コンテンツの動画をディスプレイデバイス１２０で表示出力する。
【００１８】
そして、このディスプレイデバイス１２０が有機エレクトロルミネッセンスからなるため、美麗なたばこの広告コンテンツを高画質に表示出力することができ、例えば、たばこの広告コンテンツとして高速な動画なども表示出力することができる。
【００１９】
特に、本実施の形態のたばこ什器１００では、たばこ商品ＳＴＰを載置する本体フレーム１１０の前面スペースに横長のディスプレイデバイス１２０を配置している。
【００２０】
このため、たばこ什器１００の収容能力などを阻害することなく、有機エレクトロルミネッセンスからなるディスプレイデバイス１２０でたばこの広告コンテンツを良好に表示出力することができる。
【００２１】
さらに、たばこ什器１００の上部にもディスプレイデバイス１２０を突出させることで、スペースを良好に利用してたばこの広告コンテンツを表示出力することができる。
【００２２】
ここで、有機エレクトロルミネッセンスからなるディスプレイデバイス１２０の特性を説明する。まず、有機エレクトロルミネッセンスは、各画素ごとに発光素子が構成されている。
【００２３】
その発光素子は金属等の陰電極／電子注入層／電子輸送層／発光層／正孔輸送層／正孔注入層／ＩＴＯ等の陽電極、そして、ガラス板や透明のプラスチック板などの基板よりなる。
【００２４】
こうしたサンドイッチ状の構造はヘテロ構造と呼ばれ、電子と正孔をそれぞれ別の層に閉じ込めることによって効率的な反応を起こすことができる。各層の材料にはジアミン、アントラセン、金属錯体などの有機物が使用されている。
【００２５】
電極間の各層の厚さは数ｎｍから数百ｎｍであり、全体で１μｍ以下程度の厚さしかない。また基板もフレキシブルなプラスチック等を利用することにより、フレキシブルな（曲げられる）ディスプレイや照明の製造も可能である。
【００２６】
また、有機エレクトロルミネッセンスは、陰極および陽極に電圧をかけることにより各々から電子と正孔を注入する。注入された電子と正孔がそれぞれの電子輸送層・正孔輸送層を通過し、発光層で結合する。
【００２７】
結合によるエネルギーで発光層の発光材料が励起される。その励起状態から再び基底状態に戻る際に光を発生する。励起状態（一重項）からそのまま基底状態に戻る発光が蛍光であり、一重項状態からややエネルギー準位の低い三重項状態を経由し基底状態に戻る際の発光を利用すればりん光である。励起しても光に上手く利用できないエネルギーは無放射失活（熱失活）する。
【００２８】
陰極にはアルミニウムや銀・マグネシウム合金、カルシウム等の金属薄膜を、陽極にはＩＴＯ（INDIUM TIN OXIDE）と呼ばれる酸化インジウム錫などの透明な金属薄膜を使う。発生した光は反射面で反射され、透明電極と基板（ガラス板やプラスチック板など）を透過する。
【００２９】
また、液晶ディスプレイでは液晶の分子の方向を変えることで輝度を変えているため、応答速度が鈍く動画再生などで問題になる。それに対し有機エレクトロルミネッセンスは励起子の寿命が非常に短く電流を変化させれば輝度が瞬時に変化するので、非常に応答速度が速い。
【００３０】
また液晶ディスプレイでは応答速度が環境温度に依存し、低温では応答速度がさらに鈍くなる。しかし有機エレクトロルミネッセンスディスプレイでは低温でも応答速度は変わらない。
【００３１】
さらに、有機エレクトロルミネッセンスは、液晶のような見る方向によって階調が変わってしまうという現象がなく、またコントラストの低下も低く視野角は180度に限りなく近い。
【００３２】
プリズムシートで集光して表面輝度を向上させている液晶ディスプレイとは異なりランバート分布に近い発光分布を持つが、マイクロキャビティー効果を用いることで集光させることも可能である。
【００３３】
現在の有機エレクトロルミネッセンスディスプレイは解像度がシャドウマスクの精度およびそのプロセスで制限されている。現在、シャドウマスク以外の手法であるホワイト＋カラーフィルター方式・レーザー熱転写方式・レーザー再蒸着方式といったシャドウマスクの制限を伴わない技術が開発されている。
【００３４】
また画素には液晶の場合一個以上、有機エレクトロルミネッセンスの場合二個以上のＴＦＴが必要であるため高解像度ディスプレイの場合には制約となりうるが、トップエミッション方式の開発により制約はなくなりつつある。また、三色の発光層を縦に重ねることによって解像度を高くできる可能性もある。
【００３５】
また、有機エレクトロルミネッセンスは、プラズマディスプレイのような放電発光ではなく有機半導体内の励起子により発光するので、発光そのものに必要な電圧も数Ｖ程度と低い。
【００３６】
また、有機エレクトロルミネッセンスの発光効率も近年飛躍的に向上している。さらに発光材料として蛍光材料が広く用いられているが、原理的に効率の高いりん光材料の開発が進んでおりさらなる高効率化が期待できる。
【００３７】
さらに、有機エレクトロルミネッセンスは、素子の自発光であるため、また発光を止めることで黒が明確に表現できるため測定が困難なほどの高コントラスト比を達成できる。有機エレクトロルミネッセンスのコントラスト比は、液晶テレビの１０００：１程度に対し、１００万：１と公称されている。
【００３８】
また、有機エレクトロルミネッセンスは、ブラウン管とは異なり、磁気の影響を受けない。さらに、有機エレクトロルミネッセンスは、ガラス基板二枚で挟み込む構造の液晶と違い、基板は一枚であり、加えてバックライトが不要であるため、薄型化が可能とされる。
【００３９】
プラスチックなどの基板を使った、柔らかくて折り曲げることができるディスプレイも発表されている。有機エレクトロルミネッセンスは、原理的には液晶ディスプレイより単純な構造が可能であるため、液晶ディスプレイより製造コストが下がることが期待されている。
【００４０】
つぎに、本発明の実施の第二の形態を図２を参照して以下に説明する。本実施の形態のたばこ什器２００は、たばこ商品ＳＴＰが上下前後左右に陳列される本体フレーム１１０と、この本体フレーム１１０の側面に一体に形成されているディスプレイデバイス１２０と、を有し、このディスプレイデバイス１２０が有機エレクトロルミネッセンスからなる。
【００４１】
上述のような構成において、本実施の形態のたばこ什器２００は、例えば、バックヤードの店内サーバ(図示せず)とデータ通信し、たばこの広告コンテンツの動画をディスプレイデバイス１２０で表示出力する。
【００４２】
そして、このディスプレイデバイス１２０が有機エレクトロルミネッセンスからなるため、美麗なたばこの広告コンテンツを高画質に表示出力することができ、例えば、たばこの広告コンテンツとして高速な動画なども表示出力することができる。
【００４３】
特に、本実施の形態のたばこ什器２００では、たばこ商品ＳＴＰを載置する本体フレーム１１０の側面スペースにディスプレイデバイス１２０を配置している。
【００４４】
このため、たばこ什器２００の収容能力などを阻害することなく、有機エレクトロルミネッセンスからなるディスプレイデバイス１２０でたばこの広告コンテンツを良好に表示出力することができる。なお、このようなディスプレイデバイス１２０は、既存のたばこ什器に外付けすることも可能である(図示せず)。
【００４５】
つぎに、本発明の実施の第三の形態を図３を参照して以下に説明する。本実施の形態のたばこ什器３００は、たばこ商品ＳＴＰが上下前後左右に陳列される本体フレーム１１０と、この本体フレーム１１０の左右の側部に各々突設されているディスプレイデバイス１２０と、を有し、このディスプレイデバイス１２０が有機エレクトロルミネッセンスからなる。
【００４６】
上述のような構成において、本実施の形態のたばこ什器３００は、例えば、バックヤードの店内サーバ(図示せず)とデータ通信し、たばこの広告コンテンツの動画をディスプレイデバイス１２０で表示出力する。
【００４７】
そして、このディスプレイデバイス１２０が有機エレクトロルミネッセンスからなるため、美麗なたばこの広告コンテンツを高画質に表示出力することができ、例えば、たばこの広告コンテンツとして高速な動画なども表示出力することができる。
【００４８】
つぎに、本発明の実施の第四の形態を図４を参照して以下に説明する。本実施の形態の自動販売機４００は、たばこ商品ＳＴＰが収容されて街頭に設置される販売機本体４１０と、この販売機本体４１０の前面に一体に形成されているディスプレイデバイス４２０と、を有し、このディスプレイデバイス４２０が有機エレクトロルミネッセンスからなる。
【００４９】
より具体的には、本実施の形態の自動販売機４００は、前面にたばこ商品などの複数の商品見本４１１が配列されており、これら複数の商品見本４１１ごとに商品選択ボタン４１２が配列されている。
【００５０】
また、自動販売機４００の前面には、ディスプレイデバイス４２０が配置されており、同様に、コインが投入されるコイン投入部４１３、紙幣が投入される紙幣投入部４１４、釣銭が排出される釣銭排出部４１５、認証カードを認証するカード認証ユニット４１６、たばこ商品などの販売商品を排出する商品排出部４１７、等が形成されている。
【００５１】
上述のような構成において、本実施の形態の自動販売機４００は、例えば、たばこの広告コンテンツの動画をディスプレイデバイス４２０で表示出力する。そして、このディスプレイデバイス４２０が有機エレクトロルミネッセンスからなるため、美麗なたばこの広告コンテンツを高画質に表示出力することができ、例えば、たばこの広告コンテンツとして高速な動画なども表示出力することができる。
【００５２】
このため、たばこ商品を購入するために自動販売機正面に立ち止まる顧客のみならず、正面を歩行する顧客がディスプレイデバイス４２０を視認することになり、タバコの広告コンテンツを良好に訴求することができる。
【００５３】
つぎに、本発明の実施の第五の形態を図５を参照して以下に説明する。本実施の形態の自動販売機５００は、たばこ商品ＳＴＰが収容されて街頭に設置される販売機本体４１０と、この販売機本体４１０の左右の側面に一体に形成されているディスプレイデバイス４２０と、を有し、このディスプレイデバイス４２０が有機エレクトロルミネッセンスからなる。
【００５４】
より具体的には、本実施の形態の自動販売機５００は、販売機本体４１０の販売機前部４０１と販売機後部４０２とは、各々所定の厚さのボックス状に形成されており、側部のヒンジ機構(図示せず)により開閉自在に形成されている。
【００５５】
販売機後部４０２には、例えば、販売商品であるたばこ商品などが収容されており、販売機前部４０１には、コイン投入部４１３や販売商品の搬出機構などの各種メカニズムが内蔵されている(図示せず)。このため、販売機本体４１０の側面のディスプレイデバイス４２０も販売機前部４０１と販売機後部４０２とに個別に装着されている。
【００５６】
上述のような構成において、本実施の形態の自動販売機５００は、例えば、たばこの広告コンテンツの動画をディスプレイデバイス４２０で表示出力する。そして、このディスプレイデバイス４２０が有機エレクトロルミネッセンスからなるため、美麗なたばこの広告コンテンツを高画質に表示出力することができ、例えば、たばこの広告コンテンツとして高速な動画なども表示出力することができる。
【００５７】
特に、本実施の形態の自動販売機５００では、側面スペースにディスプレイデバイス４２０が配置されていることから、自動販売機側面近傍を歩行する顧客が視認することが可能になるため、たばこの広告コンテンツを良好に訴求することができる。なお、このようなディスプレイデバイス４２０は、既存の自動販売機に外付けすることも可能である(図示せず)。
【００５８】
つぎに、本発明の実施の第六の形態を図６を参照して以下に説明する。本実施の形態の自動販売機６００は、たばこ商品ＳＴＰが収容されて街頭に設置される販売機本体４１０と、この販売機本体４１０の左右の側部と上部とに突設されているディスプレイデバイス４２０と、を有し、このディスプレイデバイス４２０が有機エレクトロルミネッセンスからなる。
【００５９】
上述のような構成において、本実施の形態の自動販売機６００は、例えば、たばこの広告コンテンツの動画をディスプレイデバイス４２０で表示出力する。そして、このディスプレイデバイス４２０が有機エレクトロルミネッセンスからなるため、美麗なたばこの広告コンテンツを高画質に表示出力することができ、例えば、たばこの広告コンテンツとして高速な動画なども表示出力することができる。
【００６０】
このため、顧客にディスプレイデバイス４２０でたばこの広告コンテンツを良好に視認させて訴求することができる。なお、このようなディスプレイデバイス４２０は、既存の自動販売機に外付けすることも可能である(図示せず)。
【００６１】
なお、本発明は本実施の形態に限定されるものではなく、その要旨を逸脱しない範囲で各種の変形を許容する。例えば、上述したたばこ什器１００等や自動販売機４００等のディスプレイデバイス１２０，４２０が、動画の広告コンテンツを制御する動画制御装置と、動画制御装置と広告コンテンツを通信するコンテンツ通信部とを、さらに有してもよい(図示せず)。
【００６２】
この場合、広告コンテンツの動画制御装置は、タバコ什器や自動販売機に組み込まれたものではなく、パーソナルコンピュータ等の外部の機器である。そのため、この機器により表示する広告コンテンツや時間等を、事前に、また状況に応じて変更することが可能となる。
【００６３】
そして、ディスプレイデバイス１２０，４２０は動画制御装置とのコンテンツ通信部を有しており、このコンテンツ通信部から指令を受信することにより、最適な広告コンテンツの動画を表示することが可能となる。
【００６４】
また、例えば、上述したたばこ什器１００等や自動販売機４００等のディスプレイデバイス１２０，４２０が、所定のＩＤデータを読み取るＩＤ読取装置と、ＩＤ読取装置で読み取られたＩＤデータを通信するＩＤ通信部とを、さらに有してもよい(図示せず)。
【００６５】
この場合、店頭のレジに組み込まれた、または、その近くに設置されたＩＤ情報読取部や自動販売機に組み込まれたＩＤ情報読取部から送信されるＩＤ情報を受信するため、ディスプレイデバイスにはＩＤ情報通信部が備えられている。
【００６６】
これにより、ＩＤ情報(成人認証カード、免許証、レジにて入力された顧客情報等)が契機となり、広告コンテンツの動画を変更することができるため、顧客に応じた広告コンテンツの動画を表示させることができる。
【００６７】
また、当然ながら、上述した複数の実施の形態は、その内容が相反しない範囲で組み合わせることができる。
【符号の説明】
【００６８】
１００    たばこ什器
１１０    本体フレーム
１２０    ディスプレイデバイス
２００    たばこ什器
３００    たばこ什器
４００    自動販売機
４０１    販売機前部
４０２    販売機後部
４１０    販売機本体
４１１    商品見本
４１２    商品選択ボタン
４１３    コイン投入部
４１４    紙幣投入部
４１５    釣銭排出部
４１６    カード認証ユニット
４１７    商品排出部
４２０    ディスプレイデバイス
５００    自動販売機
６００    自動販売機
ＳＴＰ    たばこ商品
【図１】
2012208139.tif 000003
【図２】
2012208139.tif 000004
【図３】
2012208139.tif 000005
【図４】
2012208139.tif 000006
【図５】
2012208139.tif 000007
【図６】
2012208139.tif 000008